(57)【特許請求の範囲】
【請求項１】
第１の方向に延在する支持部材上に、前記第１の方向と交差する第２の方向が長手方向と重なるように床板を固定するための床板固定具において、
長手方向が前記第１の方向と重なるように前記支持部材上に配置して用いられ、
前記支持部材の表面形状に対応した形状を持つ下面と前記床板の裏面の対向面となる上面を有するベース基材と、
前記ベース基材の長手方向に沿って所定の間隔で、かつ前記上面に形成された一対の突起形成部と、
鉛直方向に立ち上がるように前記突起形成部の上端面に形成され、かつ前記床板の裏面に形成された溝に対して嵌合可能な形状を持つくさび部とを有し、
前記一対の突起形成部は、前記ベース基材中の、断面長円形の抜き穴を持つ枠部材を長手方向に複数連結させた曲線的な骨格構造部分を介して接続されていることを特徴とする床板固定具。
【請求項２】
請求項１記載の床板固定具において、
前記枠部材の何れかに、略中心部分に抜き小穴が形成された断面長円形の薄い底板を有する枠部材を用いる床板固定具。
【請求項３】
請求項１又は２記載の床板固定具を用いる床構造の施工方法において、
複数の支持部材を長手方向である第１の方向に交差する第２の方向に沿って所定の間隔で配置する第１工程と、
前記第１の方向に長手方向が重なるよう各支持部材の上に床板固定具を配置する第２工程と、
前記第２の方向に長手方向が重なるよう各床板固定具の上に床板を配置する第３工程と、
各床板の、前記床板固定具の何れかの前記抜き穴に対応する位置に、貫通孔を形成するとともに、前記抜き穴を通じてさらに前記支持部材にプラグ穴を形成する第４工程と、
前記貫通孔にプラグナットを挿入し、前記抜き穴を通過させた後、前記支持部材に形成した前記プラグ穴に前記プラグナットを固定する第５工程と、
前記貫通孔にボルトを挿入し、前記抜き穴を通過させた後、前記プラグナットに螺合させる第６工程と、
前記貫通孔を各床板の外側から閉塞させる第７工程とを、有することを特徴とする床構造の施工方法。
【請求項４】
請求項３記載の床構造の施工方法において、
前記第４工程における前記位置が、各床板の長手方向である前記第２の方向に沿った先端近傍で、かつその幅方向である前記第１の方向に沿った略中央付近であることを特徴とする床構造の施工方法。
【請求項５】
請求項３記載の床構造の施工方法において、
前記第４工程における前記位置が、各床板毎に、各床板の長手方向である前記第２の方向略中央付近で、かつその幅方向である前記第１の方向に沿った略中央付近の一箇所であることを特徴とする床構造の施工方法。
【発明の詳細な説明】
【技術分野】
【０００１】
本発明は、屋内外に設けられるテラスなどに適用される床構造の施工方法及びこれに用いる床板固定具に関する。
【背景技術】
【０００２】
近年、住宅の一階の床と同じ高さで屋外に張り出すようなテラスの床として用いられたり、また、屋外庭や公園などに設けられる木製の屋外デッキが多く見られる。
【０００３】
この種のデッキ床構造の一例として、設置面にブロックなどの基礎部を介して木製角材からなる根太を架設し、この根太上に固定具を配置し、この固定具を介して根太の延在方向と直交するように床板（デッキプレート）を並べて敷設した後、該床板の長手方向端面を端枠で囲み、該床板の長手方向の移動を規制することで、デッキ上面、つまり床面を構成するものが知られている（特許文献１，２）。
【先行技術文献】
【特許文献】
【０００４】
【特許文献１】国際公開２００７−５１９３４号
【特許文献２】米国特許公開２００９−９４９２５号
【発明の概要】
【発明が解決しようとする課題】
【０００５】
しかしながら、上述した従来手法による床構造では、床板の下方に溜まった落ち葉やゴミを清掃するときや、床板自身の再塗装や補修、張替えなどのメンテナンスの際に、床板を根太から取り外すとき、端枠を取り除かなければならず、作業性に問題があった。
【０００６】
また、一般に用いられる床板は、気温や日光による温度変化、天候による湿度変化により長手方向に伸縮するので、その分、従来手法の床構造では、床板の長手方向両端部に隙間を空けて端枠を取り付けなければならない。その結果、床板はその長手方向に隙間分、自由に動けることになり、床板上を人が歩いたとき、床板が長手方向に動き、軋み音が出たり、床板の長手方向両端部や連結延長部の長手方向両端部で足が挟まったりするおそれがあり、安全性に問題があった。
【０００７】
なお、従来手法において、床板を並べて敷設した後、木ネジを用いて床板と根太を固定する方法が考えられる。しかしながら、木ネジは脱着を繰り返すと、根太に設けられるネジ穴の内部が削られ内径が拡がってしまうので、脱着を繰り返す場合、新たなネジ穴を開け直さなければならないか、あるいは根太を交換せざるを得なくなり、作業効率に問題があった。
【０００８】
本発明が解決しようとする課題は、床板を取り外すときに端枠を取り除く必要がないという作業性や、床板上を歩いたときに床板が長手方向へ移動しないという安全性に優れるとともに、メンテナンスなどの際に床板を繰り返し何度も容易に脱着することができるという作業効率に優れた床構造を施工することができる方法と、この方法に好適に用いることができる床板固定具とを提供することである。
【課題を解決するための手段】
【０００９】
本発明は、以下の解決手段によって上記課題を解決する。なお、以下の解決手段では、発明の実施形態を示す図面に対応する符号を付して説明するが、この符号は発明の理解を容易にするためだけのものであって発明を限定する趣旨ではない。
【００１０】
本発明に係る床板固定具（２）は、第１の方向（Ｘ方向）に延在する支持部材（３）上に、第１の方向と交差（例えば直交）する第２の方向（Ｙ方向）が長手方向と重なるように床板（１）を固定するための床板固定具（２）において、
【００１１】
長手方向が第１の方向（Ｘ方向）と重なるように支持部材（３）上に配置して用いられ、
【００１２】
支持部材（３）の表面形状に対応した形状を持つ下面（２０ａ）と床板（１）の裏面（１ａ）の対向面となる上面（２０ｂ）を有するベース基材（２０）と、
【００１３】
ベース基材（２０）の長手方向（Ｘ方向）に沿って所定の間隔（Ｌ２）で、かつ上面（２０ｂ）に形成された一対の突起形成部（２５，２５）と、
【００１４】
鉛直方向（Ｚ方向）に立ち上がるように突起形成部（２５，２５）の上端面（２５ａ）に形成され、かつ床板（１）の裏面（１ａ）に形成された溝（１１，１１）に対して嵌合可能な形状を持つくさび部（２１，２１）とを有し、
【００１５】
一対の突起形成部（２５，２５）は、ベース基材（２０）中の、断面長円形の抜き穴（２０２ａ〜２０２ｃ）を持つ枠部材（２０４ａ〜２０４ｃ）を長手方向に複数連結させた曲線的な骨格構造部分を介して接続されていることを特徴とする。
【００１６】
上記発明において、枠部材の何れかに（例えば２０４ｂ）、略中心部分に抜き小穴（２８）が形成された断面長円形の薄い底板（２０２ｂ’）を有する枠部材（２０４ｂ’）を用いることができる。
【００１７】
本発明に係る床構造（１００）の施工方法は、本発明の固定具（２）を用いる方法であって、
【００１８】
複数の支持部材（３，３，…）を長手方向である第１の方向（Ｘ方向）に交差（例えば直交）する第２の方向（Ｙ方向）に沿って所定の間隔（Ｌ４）で配置する第１工程と、
【００１９】
第１の方向（Ｘ方向）に長手方向が重なるよう各支持部材（３，３，…）の上に固定具（２，２，…）を配置する第２工程と、
【００２０】
第２の方向（Ｙ方向）に長手方向が重なるよう各固定具（２，２，…）の上に床板（１，１，…）を配置する第３工程と、
【００２１】
各床板（１，１，…）の、固定具（２，２，…）の何れかの抜き穴（２０２ａ〜２０２ｃ。好ましくは２０２ｂ）に対応する位置に、貫通孔（１２，１２，…）を形成するとともに、その抜き穴を通じてさらに支持部材（３，３，…）にプラグ穴（３１，３１，…）を形成する第４工程と、
【００２２】
貫通孔（１２，１２，…）にプラグナット（４１，４１，…）を挿入し、抜き穴を通過させた後、支持部材（３，３，…）に形成したプラグ穴（３１，３１，…）にプラグナット（４１，４１，…）を固定する第５工程と、
【００２３】
貫通孔（１２，１２，…）にボルト（４２，４２，…）を挿入し、抜き穴を通過させた後、プラグナット（４１，４１，…）に螺合させる第６工程と、
【００２４】
貫通孔（１２，１２，…）を各床板（１，１，…）の外側から閉塞させる第７工程とを、有することを特徴とする床構造の施工方法が提供される。
【００２５】
上記発明において、第４工程における所定位置は、各床板（１，１，…）の長手方向である第２の方向（Ｙ方向）に沿った先端近傍又は各床板（１，１，…）の長手方向（Ｙ方向）略中央付近で、かつその幅方向である第１の方向（Ｘ方向）に沿った略中央付近とすることができる。特に、この所定位置を、各床板の長手方向（第２の方向）略中央付近で、かつその幅方向である第１の方向に沿った略中央付近の一箇所とすることで、各床板の長手方向に対する伸縮による両端部の伸縮量が同一となり、床板全体の移動量を最小限に抑えることができるメリットがある。
【発明の効果】
【００２６】
本発明に係る床板固定具を用いた床構造の施工方法によれば、前記端枠は無くて良く、床板を取り外すときに端枠を取り除く必要がないという作業性や、床板上を歩いたときに床板が長手方向へ移動しないという安全性に優れるとともに、メンテナンスなどの際に床板を繰り返し何度も容易に脱着することができるという作業効率に優れた床構造を施工することができる。
【図面の簡単な説明】
【００２７】
【図１】図１は本発明の一実施形態に係るテラス床構造を示す平面図である。
【図２】図２は図１のテラス床構造を示す一部斜視図である。
【図３】図３は図２の一部断面図である。
【図４】図４は本発明の一実施形態に係る床板固定具を示す斜視図である。
【図５】図５は図４のＶ−Ｖ線に沿った断面図である。
【図６】図６は図４のＶＩ方向から見た平面図である。
【図７】図７は図６の波線で囲まれた部分の拡大図である。
【図８】図８は図７の背面図に対応する他の実施形態を示す図である。
【図９】図９は図１〜図３に示すテラス床構造の一実施形態に係る施工方法を説明するための斜視図である。
【発明を実施するための形態】
【００２８】
以下に、本発明の一実施形態に係る床板固定具、これを用いたテラス床構造及びそのテラス床構造の施工方法を図面に基づいて説明する。
【００２９】
《テラス床構造》
【００３０】
まず、テラス床構造の全体概要を説明する。図１〜３に示すように、本発明の一実施形態に係るテラス床構造１００は、建物の外部（例えばマンションの屋上やベランダ）などに在する、穴あけ加工が許されないコンクリート面など（以下「テラス設置面」と略記する。）に構築されるものであり、複数の基礎部（ブロック、柱、クランプなど。図示省略）を有する。各基礎部は、テラス設置面に、複数の列を成すように並設されている。
【００３１】
基礎部の上にはそれぞれ、支持部材３，３，…が、その長手方向（Ｘ方向）に直交する幅方向（Ｙ方向）に沿って所定の間隔Ｌ４で断続的に並設されている。支持部材３は、例えば木製角材で構成され、通常は根太や大引きなどと称される。
【００３２】
支持部材３は、基礎部に対して締結部材（図示省略）を介して固定されている。支持部材３の固定に用いる締結部材としては、例えばボルトや木ネジ又は金具などが挙げられる。
【００３３】
支持部材３の上面３ａには、内部に陥没する複数のプラグ穴３１，３１，…が、支持部材３の長手方向（Ｘ方向）に沿って所定の間隔で断続的に並設されている。プラグ穴３１にはプラグナット４１が挿入されている。
【００３４】
支持部材３の上面３ａにはそれぞれ、床板固定具２，２，…が配置されている。床板固定具２の詳細は後述する。本実施形態の床板固定具２は、支持部材３に対して締結部材４０を介して固定されている。床板固定具２の固定に用いる締結部材４０としては、例えばボルトや木ネジなどが挙げられる。
【００３５】
床板固定具２の延在方向（Ｘ方向）上面には、該床板固定具２の延在方向と直交する方向（Ｙ方向）に延在するように、テラス床面を構成する床板１，１，…が配置されている。床板１は、例えば断面矩形状の板状部材（デッキプレート）で構成することができる。
【００３６】
本実施形態で用いる床板１の、床板固定具２と対向する面（以下「裏面」と略記する。）１ａには、２本のアリ溝１１，１１が床板１の長手方向（Ｙ方向）に沿って連続的に延在するように形成されている。アリ溝１１は、固定具２のくさび部２１（後出）を嵌合させるための溝である。アリ溝１１にくさび部２１が嵌合されることで、固定具２を介して床板１が支持部材３上に固定される。
【００３７】
床板１の長手方向（Ｙ方向）先端近傍で、かつその幅方向（Ｘ方向）略中央付近には、貫通孔１２が設けられており、ここに六角穴付きボルト４２が挿入されている。ボルト４２は、固定具２のベース基材２０を構成する枠部材２０４ｂの抜き穴２０２ｂ（何れも後出）を通過し、支持部材３のプラグ穴３１に挿入されたプラグナット４１に螺合しており、貫通孔１２には外側からメクラ栓４３がされ、その結果、貫通孔１２は閉塞されている。
【００３８】
《床板固定具》
【００３９】
次に、本発明の一実施形態に係る床板固定具（以下単に「固定具」と略記する。）２の詳細を説明する。
【００４０】
図４〜８に示すように、本実施形態に係る固定具２は、耐候性があり硬く強度の高いプラスチック（例えばポリプロピレンなど）などを材質としており、ベース基材２０を有する。ベース基材２０は、支持部材３の上面３ａ（図２，３参照）の表面形状に対応した形状の下面（裏面）２０ａと、床板１の裏面１ａ（何れも図２，３参照）に対向することとなる上面（表面）２０ｂとを持つ。
【００４１】
ベース基材２０の上面２０ｂには、その長手方向（Ｘ方向）に沿って所定の間隔で、鉛直方向（Ｚ方向）へ立ち上がる仕切板２２ａ，２２ｂ，２２ｃが連結されている。ベース基材２０に仕切板２２ａ，２２ｂ，２２ｃを設けることで、仕切板の厚みを介して隣り合う２つの床板１，１間の間隔Ｇ（図１参照）が一定に保持され、水捌け性が向上する。間隔Ｇは通常３〜５ｍｍ程度とされる。こうした間隔Ｇは床板１の上面１ｂ（図２参照）の排水を可能にするとともに隣接する２つの床板１，１間の面的ばらつきの一部を吸収するためにも作用する。また間隔Ｇを一定に保持することで、連続する床板１により達成されるテラスの表面外観の見栄えを良くすることもできる。
【００４２】
仕切板２２ａの下部は、ベース基材２０の長手方向一端に連結されており、その連結部分の反対面下部には、ベース基材２０の長手方向他端に形成された雄連結部２６と噛み合う雌連結部２７がＸ方向に突出するように形成されている。
【００４３】
仕切板２２ｂは、仕切板２２ａと距離Ｌ１（図５参照）を離間させたベース基材２０上に接続されている。仕切板２２ｃも同様で、仕切板２２ｂと距離Ｌ１を離間させたベース基材２０上に接続される。なお上述したが、仕切板２２ｃから距離Ｌ１を離間させたベース基材２０の他端には、雄連結部２６が雌連結部２７が突出する方向と反対方向に突出するように形成されている。
【００４４】
仕切板２２ａ，２２ｂ間のベース基材２０の上面２０ｂには、一対の突起形成部２５，２５がベース基材２０の長手方向（Ｘ方向）に距離Ｌ２（図５参照）を離間させ、かつ仕切板２２ａ，２２ｂに対して距離Ｌ３（図５参照。Ｌ３＝（Ｌ１−Ｌ２）／２）を離間させた位置に形成されている。
【００４５】
各突起形成部２５は、方形状の立体物で構成されており、その上端面が床板１の裏面１ａ（図２参照）と接触する面（以下「床板接触面」と略記する。）２５ａとなる。固定具２上に床板１を配置した際、突起形成部２５の上端面が床板接触面２５ａとなり、この部分のみで床板１の裏面１ａと接触するように構成されている。すなわち本実施形態の固定具２において、突起形成部２５の高さ（厚み）が他のベース基材２０の高さ（厚み）よりも高く形成されている。その結果、床板１を固定した際の安定性が良く、湿度や温度変化による床板１の反りによるがたつきが出にくくなる上、床板１のＹ方向に対する伸縮にも、固定具２のくさび部２１と、床板１のアリ溝１１との間の滑りで対応することができ、床板１を外れにくくすることと、床板１の反り上りを防止することができる。
【００４６】
各突起形成部２５の床板接触面２５ａには、くさび部２１が、鉛直方向（Ｚ方向）に向けて立ち上がるように形成されている。すなわち仕切板２２ａ，２２ｂ間のベース基材２０の上面２０ｂには、一対の突起形成部２５，２５が形成され、その床板接触面２５ａにはくさび部２１が鉛直方向に立ち上がるように形成されている。各くさび部２１，２１は、床板１のアリ溝１１（図２，３参照）へそれぞれ嵌合させるために機能する。
【００４７】
各くさび部２１は、幅方向（Ｙ方向）に沿って配列され登頂部分が連結された一対の屋根型くさび部２１ａ，２１ａで構成されている。
【００４８】
各屋根型くさび部２１ａの先端には、固定具２の延在方向に平行な方向（Ｘ方向）で、かつベース基材２０に向けてそれぞれ反対方向に延びる傾斜前面２１２ａ，２１４ａが形成してある。各屋根型くさび部２１ａは、各傾斜前面２１２ａ，２１４ａが床板１の対応するアリ溝１１，１１に係合された場合に、弾性変形により各傾斜前面２１２ａ，２１４ａを付勢し、その結果、床板１の引き戻しが防止される。
【００４９】
各傾斜前面２１２ａ，２１４ａの下側先端には、保持面２１２ｂ，２１４ｂが形成されており、これら保持面２１２ｂ、２１４ｂは、床板１が完全に取り付けられ屋根型くさび部２１ａ，２１ａの各傾斜前面２１２ａ，２１４ａが付勢後、当初位置に戻った場合に、アリ溝１１の内端１１ａ（図３参照）に対向する位置に戻る。床板１が完全に固定具２に取り付けられると、各屋根型くさび部２１ａの保持面２１２ｂ，２１４ｂは、床板１のアリ溝１１の内端１１ａに対する段を構成し、床板１が組みつけられた位置から戻るのを防止する。内端１１ａは対応する保持面２１２ｂ，２１４ｂで構成される段から開放されることはなく、床板１の反転不能の組み付けを構成する。
【００５０】
ベース基材２０の、各くさび部材２１の脇には、孔２０１が設けられており、ここに締結部材４０（図３参照）を通すことで固定具２を支持部材３に締結することができるようになっている。
【００５１】
なお、本実施形態では、仕切板２２ａ等の枚数、各仕切板間の距離Ｌ１は特に限定されず、床板１の幅（Ｘ方向）に基づいて適宜決定することができる。また、各仕切板間のベース基材２０の上面２０ｂに設けられる、突起形成部２５及びくさび部２１の数も、一対（２個）に限定されるものではなく、必要に応じて３個以上、若しくは１個で構成することもできる。またＬ１〜Ｌ４の距離は適宜決定することができる。
【００５２】
本実施形態では、仕切板２２ａ，２２ｂ間、仕切板２２ｂ，２２ｃ間、及び仕切板２２ｃと雄連結部２６間に、それぞれ配置される一対の突起形成部２５，２５は、断面長円形の抜き穴２０２ａ〜２０２ｃを持つ枠部材２０４ａ〜２０４ｃを長手方向（Ｘ方向）に連結させた曲線的な骨格構造となるように形成されている。抜き穴２０２ａ〜２０２ｃの形状を長円形とすることにより、固定具２が外部から荷重をうけたとき、又は固定具２自身の膨張伸縮に依る応力が生じた場合でも、その荷重や応力が一部分に集中せず弾力性に富み、その結果、固定具２自身の破壊が効果的に防止される。これに対し、抜き穴２０２ａ〜２０２ｃの形状が、例えば断面略六角形などの方形を呈する場合、固定具２が外部から荷重を受けたときなど、その荷重が固定具２の一部分に集中することがあり、その結果、固定具２自身が破壊される恐れがある。
【００５３】
本実施形態では、抜き穴２０２ｂは、床板１を固定具２上に固定するときに使用するボルト４２が干渉することがない位置に配置されている。これにより、固定具２上に床板１を取り付け後、床板１の上面１ｂからドリルなどを用いて貫通孔１２を開ければよく、精密な精度は要求されない。その結果、現場設置作業が容易且つ短時間で済むことなどメリットが大きい。特にテラス設置面に使用する支持部材３や床板１の数が多い場合に、コスト削減や作業効率向上に非常に大きな効果をもたらすことができる。これに対し、床板１を固定具２上に固定するときに使用するボルト４２が干渉する位置に枠部材が配置されている場合、現場設置作業が複雑になるなど課題を有する。
【００５４】
本実施形態では、枠部材２０４ｂに代え、図８に示すように、略中心部分に抜き小穴２８が形成された断面長円形の薄い底板２０２ｂ’を有する枠部材２０４ｂ’を用いることもできる。
【００５５】
なお、上述した枠部材２０４ａ〜２０４ｃ，２０４ｂ’は、ベース基材２０の一部を構成することは言うまでもない。
【００５６】
《テラス床構造の施工方法》
【００５７】
次に、図４〜８に示す固定具２を用いて図１〜３に示すテラス床構造１００を施工する方法の一例を図９に基づいて説明する。
【００５８】
まず、テラス設置面に、複数の基礎部を所定の列（例えば第１列、第２列、第３列、…の如く）を為すように並設させる。
【００５９】
次に、各列（例えば第１列）の基礎部の上に、その長手方向がＸ方向を向くように支持部材３を固定配置する。所定間隔を開けて配置された残りの列（例えば第２列、第３列、…）の基礎部の上にも、それぞれ支持部材３を固定配置する（第１工程）。本実施形態では、基礎部と支持部材３の接触部を締結部材（図示省略）を用いて強固に固定する。
【００６０】
次に、各支持部材３，３，…の上面３ａに固定具２，２，…を固定配置する。具体的には、支持部材３上に固定具２を平行に置き、その長さは固定具２端の雌雄連結部２６，２７で嵌合延長、若しくは余分が出た場合は切断短縮した後、締結部材４０にて固定具２を支持部材３上に固定する（第２工程）。
【００６１】
次に、支持部材３及び固定具２の延在方向（Ｘ方向）に対して直交する方向（Ｙ方向）に、その延在方向が来るよう、複数の床板１，１，…を準備し、各床板１のアリ溝１１，１１を、断続的に配置された固定具２，２，…の各屋根型くさび部２１，２１，…に合わせ、床板１を鉛直方向（Ｚ方向）上方から下方へ押し込む。この操作を床板１毎に行う（第３工程）。
【００６２】
次に、床板１のＹ方向先端近傍で、かつＸ方向略中央付近に、ドリルなどで貫通孔１２を開け、さらに、固定具２における、真ん中の枠部材２０４ｂに設けられた断面長円形の抜き穴２０２ｂを通過させ、支持部材３の所定位置にプラグ穴３１を形成する（第４工程）。
【００６３】
次に、床板１に形成された貫通孔１２にプラグナット４１を挿入し、固定具２の抜き穴２０２ｂを通過させた後、支持部材３に形成したプラグ穴３１にプラグナット４１を固定する（第５工程）。
【００６４】
次に、床板１に形成された貫通孔１２に六角穴付きボルト４２を挿入し、固定具２の抜き穴２０２ｂを通過させた後、支持部材３のプラグ穴３１に挿入されたプラグナット４１にボルト４２を螺合させる（第６工程）。
【００６５】
最後に、貫通孔１２に床板１の外側からメクラ栓４３を入れ、貫通孔１２を閉塞させる（第７工程）。メクラ栓４３を貫通孔１２に入れる前に、接着剤を塗布して押し込むこともできる。この場合、防水性が付与されるので好ましい。
【００６６】
以上の工程を経ることにより、複数の床板１，１，…が支持部材３，３，…及び固定具２，２，…の延在方向（Ｘ方向）に沿って並列配置されて固定され、テラス床構造１００の施工が完成する。
【００６７】
これに対し、床板１，１，…を固定具２（支持部材３）から取り外すときは、メクラ栓４３を床板１の上側へ抜き、六角レンチを用いて.ボルト４２を緩めて鉛直方向（Ｚ方向）へ引き上げる。このとき、プラグナット４１は支持部材３に食い込んだまま、動かない。ボルト４２を引き抜くことで、床板１の長手方向（Ｙ方向）の規制は解かれ、その後、アリ溝１１，１１に沿って床板１を固定具２のくさび部２１からＹ方向へ引き抜けばよく、床板１をＺ方向上方へ持ち上げる必要はない。
【００６８】
なお、本実施形態のように、ボルト４２を用いて床板１を支持部材３に固定する場合、上述した従来手法で用いたズレ止めとしての端枠を設ける必要はないが、別段これを妨げる趣旨ではない。すなわち本実施形態では、その後、複数の床板１，１，…の四辺周囲に縁枠（図示省略）を取り付けてもよい。この場合、床板１，１，…を固定具２（支持部材３）から取り外すときは、上記同様、ボルト４２を引き抜き、床板１の長手方向（Ｙ方向）の規制を解いた後、端枠を取り外す。そして、アリ溝１１，１１に沿って床板１を固定具２のくさび部２１からＹ方向へ引き抜くようにすればよい。
【００６９】
本実施形態によれば、床板１を取り外すときに端枠（図示省略）を取り除く必要がないという作業性や、床板１上を人が歩いたときに床板１が長手方向（Ｙ方向）へ移動しないという安全性に優れるとともに、メンテナンスなどの際に床板１を繰り返し何度も容易に脱着することができるという作業効率に優れた床構造１００を施工することができる。
【００７０】
以上説明した実施形態は、上記発明の理解を容易にするために記載されたものであって、上記発明を限定するために記載されたものではない。したがって、上記の実施形態に開示された各要素は、上記発明の技術的範囲に属する全ての設計変更や均等物をも含む趣旨である。例えば、上記実施形態においては、床構造１００をテラス床部に適用して説明したが、本発明はこれに限定されるものではなく、公園などに設けられる屋外デッキに適用しても良い。
【符号の説明】
【００７１】
１００…テラス床構造、
１…床板、１ｂ…上面、１ａ…裏面、１１…アリ溝、１１ａ…内端、１２…貫通孔、
２…床板固定具、２０…ベース基材、２０ａ…下面、２０ｂ…上面、２０１…孔、２０２ａ〜２０２ｃ…長円形状の抜き穴、２０２ｂ’…薄い底板、２０４ａ〜２０４ｃ，２０４ｂ’…枠部材、２１…くさび部、２１ａ…屋根型くさび部、２１２ａ，２１４ａ…傾斜前面、２１２ｂ，２１４ｂ…保持面、２２ａ，２２ｂ，２２ｃ…仕切板、２５…突起形成部、２５ａ…床板接触面又は上端面、２６…雄連結部、２７…雌連結部、２８…抜き穴、
３…支持部材、３ａ…上面、３１…プラグ穴、
４０…締結部材、４１…プラグナット、４２…六角穴付きボルト、４３…メクラ栓。
【図１】
0005528845.tif 000002
【図２】
0005528845.tif 000003
【図３】
0005528845.tif 000004
【図４】
0005528845.tif 000005
【図５】
0005528845.tif 000006
【図６】
0005528845.tif 000007
【図７】
0005528845.tif 000008
【図８】
0005528845.tif 000009
【図９】
0005528845.tif 000010